(57)【要約】【課題】  ＩＭＳノード装置が許容する同時接続数を超過する恐れがあるケースにおいて、発着信を始めとするサービスを継続してユーザに供給することが可能なＩＭＳノードネットワークを提供する。【解決手段】  ＩＭＳネットワークにおいて、ＩＭＳノード装置（Ｓ−ＣＳＣＦ：Ａ  １ａ，Ｓ−ＣＳＣＦ：Ｂ  １ｂ）は、同時接続数が予め設定された閾値を超過するか否かを検出する手段（同時接続数検出部１１ａ，１１ｂ）と、閾値の超過を検出した場合に隣接するＩＭＳノード装置に対して迂回指示信号を送信する手段（迂回指示部１２ａ，１２ｂ）とを有し、隣接するＩＭＳノード装置（Ｐ−ＣＳＣＦ２）は、迂回指示信号を受信した場合にその受信した信号から当該ＩＭＳノード装置の迂回を認識しかつその迂回対象ノードを管理する手段（迂回対象認識部２１）を有する。【選択図】      図１
2010118800.tif 000002
【特許請求の範囲】
【請求項１】
レジストレーション時に該当ユーザの発着信サービスを行うＩＭＳ（Ｉｎｔｅｒｎｅｔ  Ｐｒｏｔｏｃｏｌ  Ｍｕｌｔｉｍａｄｉａ  Ｓｕｂｓｙｓｔｅｍ）ノード装置が選択されるＩＭＳネットワークであって、
前記ＩＭＳノード装置は、
同時接続数が予め設定された閾値を超過するか否かを検出する手段と、
前記閾値の超過を検出した場合に隣接するＩＭＳノード装置に対して迂回指示信号を送信する手段と、
隣接するＩＭＳノード装置から前記迂回指示信号を受信した場合にその受信した信号から当該ＩＭＳノード装置の迂回を認識しかつその迂回対象ノードを管理する手段とを有することを特徴とするＩＭＳネットワーク。
【請求項２】
前記ＩＭＳノード装置は、前記迂回指示信号を受信した場合に再レジストレーションを実施する手段を含むことを特徴とする請求項１記載のＩＭＳネットワーク。
【請求項３】
前記迂回指示信号に、ＳＩＰ（Ｓｅｓｓｉｏｎ  Ｉｎｉｔｉａｔｉｏｎ  Ｐｒｏｔｏｃｏｌ）  ＯＰＴＩＯＮＳ信号を用いることを特徴とする請求項１または請求項２記載のＩＭＳネットワーク。
【請求項４】
前記ＩＭＳノード装置は、Ｐ−ＣＳＣＦ（Ｐｒｏｘｙ−Ｃａｌｌ  Ｓｅｓｓｉｏｎ  Ｃｏｎｔｒｏｌ  Ｆｕｎｃｔｉｏｎ）、Ｓ−ＣＳＣＦ（Ｓｅｒｖｉｎｇ−Ｃａｌｌ  Ｓｅｓｓｉｏｎ  Ｃｏｎｔｒｏｌ  Ｆｕｎｃｔｉｏｎ）、ＡＳ（Ａｐｐｌｉｃａｔｉｏｎ  Ｓｅｒｖｅｒ）であることを特徴とする請求項１から請求項３のいずれか記載のＩＭＳネットワーク。
【請求項５】
前記発着信サービスを行うＩＭＳノード装置は、少なくともＳ−ＣＳＣＦ（Ｓｅｒｖｉｎｇ−Ｃａｌｌ  Ｓｅｓｓｉｏｎ  Ｃｏｎｔｒｏｌ  Ｆｕｎｃｔｉｏｎ）、ＡＳ（Ａｐｐｌｉｃａｔｉｏｎ  Ｓｅｒｖｅｒ）であることを特徴とする請求項４記載のＩＭＳネットワーク。
【請求項６】
請求項１から請求項５のいずれかに記載のＩＭＳノード装置。
【請求項７】
レジストレーション時に該当ユーザの発着信サービスを行うＩＭＳ（Ｉｎｔｅｒｎｅｔ  Ｐｒｏｔｏｃｏｌ  Ｍｕｌｔｉｍａｄｉａ  Ｓｕｂｓｙｓｔｅｍ）ノード装置が選択されるＩＭＳネットワークに用いるサービス提供方法であって、
前記ＩＭＳノード装置が、
同時接続数が予め設定された閾値を超過するか否かを検出する処理と、
前記閾値の超過を検出した場合に隣接するＩＭＳノード装置に対して迂回指示信号を送信する処理と、
隣接するＩＭＳノード装置から前記迂回指示信号を受信した場合にその受信した信号から当該ＩＭＳノード装置の迂回を認識しかつその迂回対象ノードを管理する処理とを実行することを特徴とするサービス提供方法。
【請求項８】
前記ＩＭＳノード装置は、前記迂回指示信号を受信した場合に再レジストレーションを実施する手段を含むことを特徴とする請求項７記載のサービス提供方法。
【請求項９】
前記迂回指示信号に、ＳＩＰ（Ｓｅｓｓｉｏｎ  Ｉｎｉｔｉａｔｉｏｎ  Ｐｒｏｔｏｃｏｌ）  ＯＰＴＩＯＮＳ信号を用いることを特徴とする請求項７または請求項８記載のサービス提供方法。
【請求項１０】
前記ＩＭＳノード装置は、Ｐ−ＣＳＣＦ（Ｐｒｏｘｙ−Ｃａｌｌ  Ｓｅｓｓｉｏｎ  Ｃｏｎｔｒｏｌ  Ｆｕｎｃｔｉｏｎ）、Ｓ−ＣＳＣＦ（Ｓｅｒｖｉｎｇ−Ｃａｌｌ  Ｓｅｓｓｉｏｎ  Ｃｏｎｔｒｏｌ  Ｆｕｎｃｔｉｏｎ）、ＡＳ（Ａｐｐｌｉｃａｔｉｏｎ  Ｓｅｒｖｅｒ）であることを特徴とする請求項７から請求項９のいずれか記載のサービス提供方法。
【請求項１１】
前記発着信サービスを行うＩＭＳノード装置は、少なくともＳ−ＣＳＣＦ（Ｓｅｒｖｉｎｇ−Ｃａｌｌ  Ｓｅｓｓｉｏｎ  Ｃｏｎｔｒｏｌ  Ｆｕｎｃｔｉｏｎ）、ＡＳ（Ａｐｐｌｉｃａｔｉｏｎ  Ｓｅｒｖｅｒ）であることを特徴とする請求項１０記載のサービス提供方法。
【発明の詳細な説明】
【技術分野】
【０００１】
本発明はＩＭＳネットワーク、ＩＭＳノード装置及びそれらに用いるサービス提供方法に関し、特にＩＭＳ（Ｉｎｔｅｒｎｅｔ  Ｐｒｏｔｏｃｏｌ  Ｍｕｌｔｉｍａｄｉａ  Ｓｕｂｓｙｓｔｅｍ）ネットワークのＩＭＳノード装置において、同時接続数超過を考慮したサービス提供方法に関する。
【背景技術】
【０００２】
移動通信サービスである携帯電話の普及が著しく、第３世代携帯電話（３ＧＰＰ：３ｒｄ  Ｇｅｎｅｒａｔｉｏｎ  Ｐａｒｔｎｅｒｓｈｉｐ  Ｐｒｏｊｅｃｔ）サービス、無線ＬＡＮ（ＷＬＡＮ：Ｗｉｒｅｌｅｓｓ  Ｌｏｃａｌ  Ａｒｅａ  Ｎｅｔｗｏｒｋ）サービス等が普及している。これらのシステムをすべてＩＰ（Ｉｎｔｅｒｎｅｔ  Ｐｒｏｔｏｃｏｌ）ネットワークに統合する動きがある。
【０００３】
ＩＭＳは、ＩＰベースのマルチメディアサービスを第３世代携帯電話や無線ＬＡＮへアクセス網に依存せずに提供するシステムであり、ＩＰベースのサービスの提供だけでなく、ＰＳＴＮ（Ｐｕｂｌｉｃ  Ｓｗｉｔｃｈｅｄ  Ｔｅｌｅｐｈｏｎｅ  Ｎｅｔｗｏｒｋ）やインタネットと接続し、サービスを提供することを可能としている。このＩＭＳ網では、制御プロトコルとしてＳＩＰ（Ｓｅｓｓｉｏｎ  Ｉｎｉｔｉａｔｉｏｎ  Ｐｒｏｔｏｃｏｌ）が用いられる。
【０００４】
ＳＩＰ信号は、ＨＴＴＰ（ＨｙｐｅｒＴｅｘｔ  Ｔｒａｎｓｆｅｒ  Ｐｒｏｔｏｃｏｌ）を土台にしたテキストベースのリクエスト／レスポンス型のプロトコルであり、基本的には、クライアントがリクエストを送信し、それに対してサーバがレスポンスを応答する。
【０００５】
まず、本発明に関連するＩＭＳネットワークのレジストレーション手順について図２を参照して説明する。ＳＩＰ端末は、レジストレーション要求を行うために、ＳＩＰ  ＲＥＧＩＳＴＥＲ信号をＰ−ＣＳＣＦ（Ｐｒｏｘｙ−Ｃａｌｌ  Ｓｅｓｓｉｏｎ  Ｃｏｎｔｒｏｌ  Ｆｕｎｃｔｉｏｎ）へ送信する（図２のａ１）。
【０００６】
ＳＩＰ  ＲＥＧＩＳＴＥＲ信号を受信したＰ−ＣＳＣＦは、ＳＩＰ  ＲＥＧＩＳＴＥＲ信号を送信するＳ−ＣＳＣＦ（Ｓｅｒｖｉｎｇ−ＣＳＣＦ）を選択するために、ＨＳＳ（Ｈｏｍｅ  Ｓｕｂｓｃｒｉｂｅｒ  Ｓｅｒｖｅｒ）へＤＩＡＭＥＴＥＲ  ＵＡＲ／ＵＡＡ（Ｕｓｅｒ  Ａｕｔｈｏｒｉｚａｔｉｏｎ  Ｒｅｑｕｅｓｔ／Ｕｓｅｒ  Ａｕｔｈｏｒｉｚａｔｉｏｎ  Ａｎｓｗｅｒ）手順を実施する（図２のａ２，ａ３）。本手順により、Ｐ−ＣＳＣＦは、Ｓ−ＣＳＣＦを選択し、選択したＳ−ＣＳＣＦにＳＩＰ  ＲＥＧＩＳＴＥＲ信号を送信する（図２のａ４）。
【０００７】
Ｓ−ＣＳＣＦは、受信したＳＩＰ  ＲＥＧＩＳＴＥＲ信号内のＣｏｎｔａｃｔヘッダ、ＲｏｕｔｅヘッダからＳＩＰ端末のＩＰアドレス及びＰ−ＣＳＣＦのＩＰアドレスを取得し、これらの情報をＤＩＡＭＥＴＥＲ  ＳＡＲ（Ｓｅｒｖｅｒ  Ａｓｓｉｇｎｍｅｎｔ  Ｒｅｑｕｅｓｔ）信号に設定し、そのＤＩＡＭＥＴＥＲ  ＳＡＲ信号をＨＳＳに送信する（図２のａ５）。
【０００８】
ＤＩＡＭＥＴＥＲ  ＳＡＲ信号を受信したＨＳＳは、設定されたＳＩＰ端末のＩＰアドレス及びＰ−ＣＳＣＦのＩＰアドレスを記憶し、加入者のサービスプロファイルをＤＩＡＭＥＴＥＲ  ＳＡＡ（Ｓｅｒｖｅｒ  Ａｓｓｉｇｎｍｅｎｔ  Ａｎｓｗｅｒ）信号でＳ−ＣＳＣＦに送信する（図２のａ６）。
【０００９】
ＤＩＡＭＥＴＥＲ  ＳＡＡ信号を受信したＳ−ＣＳＣＦは、レジストレーション手順完了を示すＳＩＰ  ２００  ＯＫ信号をＰ−ＣＳＣＦに送信する（図２のａ７）。ＳＩＰ  ２００  ＯＫ信号を受信したＰ−ＣＳＣＦは、レジストレーション手順完了を示すＳＩＰ  ２００  ＯＫ信号をＳＩＰ端末に送信する（図２のａ８）。
【００１０】
また、Ｓ−ＣＳＣＦは、ＡＳ（Ａｐｐｌｉｃａｔｉｏｎ  Ｓｅｒｖｅｒ）へのレジストレーションを行うために、ＳＩＰ  ＲＥＧＩＳＴＥＲ信号をＡＳに対して送信する（図２のａ９）。ＳＩＰ  ＲＥＧＩＳＴＥＲ信号を受信したＡＳは、加入者のプロファイルを取得するために、ＨＳＳへＤＩＡＭＥＴＥＲ  ＵＤＲ／ＵＤＡ（Ｕｓｅｒ  Ｄａｔａ  Ｒｅｑｕｅｓｔ／Ｕｓｅｒ  Ｄａｔａ  Ａｎｓｗｅｒ）手順を実施し（図２のａ１０，ａ１１）、レジストレーション手順完了を示すＳＩＰ  ２００  ＯＫ信号をＳ−ＣＳＣＦに送信する（図２のａ１２）。
【００１１】
本発明に関連するＩＭＳネットワークにおけるレジストレーション制御では、上述したａ１〜ａ１２のレジストレーション手順によってユーザへのＩＭＳサービスを提供するＳ−ＣＳＣＦ、ＡＳが決定される。
【００１２】
尚、ＩＭＳネットワーク内において、ユーザ・デバイスにマルチメディア・リングバック・サービスを提供する方法及び装置が特許文献１に開示されている。この特許文献１に開示された技術では、発呼者デバイスからの接続確立要求が、ＩＭＳネットワーク内で発呼者デバイスと被呼者デバイスとの間に接続を確立する働きをし、接続確立要求に応答して、発呼者デバイスとの間に少なくとも１つのマルチメディア・セッションを確立する働きをするマルチメディア・コンテンツ情報を取得し、接続の確率と同時に、発呼者デバイスにマルチメディア・コンテンツ情報の少なくとも一部を送信している。
【００１３】
また、上記ＩＭＳノード装置障害時に発着信サービスを継続可能とする技術としては、本願出願人より、ヘルスチェックにより隣接するＩＭＳノード装置の障害状態を管理し、隣接するＩＭＳノード装置の障害検出時は再レジストレーションを実施し、迂回させる技術が提案されている。
【００１４】
【特許文献１】特開２００６−１９１５９４号公報
【発明の開示】
【発明が解決しようとする課題】
【００１５】
上記の通り、本発明に関連するＩＭＳネットワークでは、レジストレーション時に該当ユーザの発着信サービスを行うＩＭＳノード装置が選択される。そのため、本発明に関連するＩＭＳネットワークでは、レジストレーション時に選択されたＩＭＳノード装置が何らかの要因により発着信をはじめとするサービスの継続ができなくなった場合、ユーザからのデレジストレーションによって別のＩＭＳノード装置への再割り当てが行われない限り、ユーザはサービスの享受ができなくなるという課題がある。
【００１６】
本発明に関連するＩＭＳネットワークでは、レジストレーション時に該当ユーザの発着信サービスを行うＳ−ＣＳＣＦ、ＡＳが選択される。図８に示すように、Ｓ−ＣＳＣＦ（Ａ）５ａが同時接続数を超過している状態のケースに説明する。
【００１７】
このケースにおいて、ＳＩＰ端末４から発信した場合、Ｐ−ＣＳＣＦ６にＳＩＰ  ＩＮＶＩＴＥ信号（ｈ１）を送信し、Ｐ−ＣＳＣＦ６からＳ−ＣＳＣＦ（Ａ）５ａに対して、ＳＩＰ  ＩＮＶＩＴＥ信号（ｈ２）を送信する。この場合、同時接続数を超過しているＳ−ＣＳＣＦ（Ａ）５ａは、ＳＩＰエラー切断を示す信号（ｈ３）をＰ−ＣＳＣＦ６に送信し、Ｐ−ＣＳＣＦ６からＳＩＰ端末４に対して、ＳＩＰエラー切断を示す信号（ｈ４）が送信され、発信サービスを行うことができない。
【００１８】
また、着信の場合においては、Ｓ−ＣＳＣＦ（Ｂ）５ｂからＳ−ＣＳＣＦ（Ａ）５ａに対して、ＳＩＰ  ＩＮＶＩＴＥ信号（ｔ１）が送信される。この際、ＳＩＰ  ＩＮＶＩＴＥ信号（ｔ１）を受信したＳ−ＣＳＣＦ（Ａ）５ａは、同時接続数を超過しているため、ＳＩＰエラー切断を示す信号（ｔ２）がＳ−ＣＳＣＦ（Ｂ）５ｂに返却され、着信サービスを行うことができない。
【００１９】
すなわち、上記の方式のままでは、レジストレーション時に選択されたＩＭＳノード装置が許容する同時接続数を超過した場合、発着信を始めとするサービスを継続して提供することができない。
【００２０】
そこで、本発明の目的は上記の問題点を解消し、ＩＭＳノード装置が許容する同時接続数を超過する恐れがあるケースにおいて、発着信を始めとするサービスを継続してユーザに供給することができるＩＭＳネットワーク、ＩＭＳノード装置及びそれらに用いるサービス提供方法を提供することにある。
【課題を解決するための手段】
【００２１】
本発明によるＩＭＳネットワークは、レジストレーション時に該当ユーザの発着信サービスを行うＩＭＳ（Ｉｎｔｅｒｎｅｔ  Ｐｒｏｔｏｃｏｌ  Ｍｕｌｔｉｍａｄｉａ  Ｓｕｂｓｙｓｔｅｍ）ノード装置が選択されるＩＭＳネットワークであって、
前記ＩＭＳノード装置は、
同時接続数が予め設定された閾値を超過するか否かを検出する手段と、
前記閾値の超過を検出した場合に隣接するＩＭＳノード装置に対して迂回指示信号を送信する手段と、
隣接するＩＭＳノード装置から前記迂回指示信号を受信した場合にその受信した信号から当該ＩＭＳノード装置の迂回を認識しかつその迂回対象ノードを管理する手段とを備えている。
【００２２】
本発明によるＩＭＳノード装置は、上記のＩＭＳネットワークのＩＭＳノード装置に備えた手段を含むことを特徴とする。
【００２３】
本発明によるサービス提供方法は、レジストレーション時に該当ユーザの発着信サービスを行うＩＭＳ（Ｉｎｔｅｒｎｅｔ  Ｐｒｏｔｏｃｏｌ  Ｍｕｌｔｉｍａｄｉａ  Ｓｕｂｓｙｓｔｅｍ）ノード装置が選択されるＩＭＳネットワークに用いるサービス提供方法であって、
前記ＩＭＳノード装置が、
同時接続数が予め設定された閾値を超過するか否かを検出する処理と、
前記閾値の超過を検出した場合に隣接するＩＭＳノード装置に対して迂回指示信号を送信する処理と、
隣接するＩＭＳノード装置から前記迂回指示信号を受信した場合にその受信した信号から当該ＩＭＳノード装置の迂回を認識しかつその迂回対象ノードを管理する処理とを実行している。
【発明の効果】
【００２４】
本発明は、上記のような構成及び動作とすることで、ＩＭＳノード装置が許容する同時接続数を超過する恐れがあるケースにおいて、発着信を始めとするサービスを継続してユーザに供給することができるという効果が得られる。
【発明を実施するための最良の形態】
【００２５】
次に、本発明の実施の形態について図面を参照して説明する。まず、本発明によるＩＭＳ（Ｉｎｔｅｒｎｅｔ  Ｐｒｏｔｏｃｏｌ  Ｍｕｌｔｉｍａｄｉａ  Ｓｕｂｓｙｓｔｅｍ）ネットワークでのサービス提供方法について説明する。
【００２６】
本発明は、ＩＭＳネットワークのＩＭＳノード装置において、ＩＭＳノード装置が許容する同時接続数を超過する恐れがあるケースにおいて、発着信を始めとするサービスを継続してユーザに供給するための方法を提供するものである。
【００２７】
本発明によるＩＭＳネットワークでは、ＩＭＳノード装置において、同時接続数を超過する恐れがある場合、予め隣接するＩＭＳノード装置に対して、ＳＩＰ  ＭＥＳＳＡＧＥ信号による迂回指示を行い、再レジストレーションを実施することにより、発着信をはじめとするサービスを継続することができる。
【００２８】
本発明によるＩＭＳネットワークでは、上述したように、ＩＭＳノード装置が同時接続数を超過する恐れがある場合に、対象のＩＭＳノード装置から隣接するＩＭＳノード装置に対して、予めＳＩＰ  ＯＰＴＩＯＮＳ（迂回指示）信号を送信することにより、同時接続数超過によるサービスの中断を回避し、ユーザに発着信を始めとするサービスを継続して提供することが可能となる。
【００２９】
図１は本発明の第１の実施の形態によるＩＭＳネットワークの各ＩＭＳノード装置の構成例を示すブロック図であり、図２は本発明の第１の実施の形態によるＩＭＳネットワークの構成例を示すブロック図である。図１及び図２において、本発明の第１の実施の形態によるＩＭＳネットワークは、Ｓ−ＣＳＣＦ（Ｓｅｒｖｉｎｇ−Ｃａｌｌ  Ｓｅｓｓｉｏｎ  Ｃｏｎｔｒｏｌ  Ｆｕｎｃｔｉｏｎ）：Ａ  １ａと、Ｓ−ＣＳＣＦ：Ｂ  １ｂと、Ｐ−ＣＳＣＦ（Ｐｒｏｘｙ−Ｃａｌｌ  Ｓｅｓｓｉｏｎ  Ｃｏｎｔｒｏｌ  Ｆｕｎｃｔｉｏｎ）２と、ＨＳＳ（Ｈｏｍｅ  Ｓｕｂｓｃｒｉｂｅｒ  Ｓｅｒｖｅｒ）３と、ＳＩＰ（Ｓｅｓｓｉｏｎ  Ｉｎｉｔｉａｔｉｏｎ  Ｐｒｏｔｏｃｏｌ）端末４とから構成されている。また、本発明の第１の実施の形態によるＩＭＳネットワークにおいては、ＳＩＰ端末４がアクセスネットワーク１００を通してＰ−ＣＳＣＦ２に接続されている。
【００３０】
図１において、Ｓ−ＣＳＣＦ：Ａ  １ａ及びＳ−ＣＳＣＦ：Ｂ  １ｂ各々は、同時接続数検出部１１ａ，１１ｂと、迂回指示部１２ａ，１２ｂとを備えている。また、Ｐ−ＣＳＣＦ２は、迂回対象認識部２１と、再レジストレーション手順実施部２２とを備えている。
【００３１】
ＳＩＰ端末４がレジストレーション時に選択したＳ−ＣＳＣＦ：Ａ  １ａの同時接続数を超過する恐れがある場合は、ＩＭＳノード装置（ここでは、Ｓ−ＣＳＣＦ：Ａ  １ａ）にて同時接続数の閾値を超えた旨を通知するために、Ｓ−ＣＳＣＦ：Ａ  １ａからＰ−ＣＳＣＦ２に対して、迂回を実施させるＳＩＰ  ＯＰＴＩＯＮＳ（迂回指示）信号１０１を送信する。
【００３２】
つまり、Ｓ−ＣＳＣＦ：Ａ  １ａにおいて、同時接続数検出部１１ａは同時接続数を検出するとともに、その検出した同時接続数を予め設定された同時接続数の閾値と比較している。この同時接続数検出部１１ａにて同時接続数が閾値を超えたことが検出されると、迂回指示部１２ａは、Ｐ−ＣＳＣＦ２に対してＳＩＰ  ＯＰＴＩＯＮＳ（迂回指示）信号１０１を送信する。
【００３３】
Ｐ−ＣＳＣＦ２は、ＳＩＰ  ＯＰＴＩＯＮＳ（迂回指示）信号１０１を受信すると、迂回対象認識部２１において、その迂回指示によってＳ−ＣＳＣＦ：Ａ  １ａが迂回対象であることを認識する。
【００３４】
ここで、ＳＩＰ端末４が発信を行った場合、Ｐ−ＣＳＣＦ２に対して、ＳＩＰ  ＩＮＶＩＴＥ信号１０２を送信する。ＳＩＰ  ＩＮＶＩＴＥ信号１０２を受信したＰ−ＣＳＣＦ２は、迂回対象認識部２１にてＳ−ＣＳＣＦ：Ａ  １ａが迂回対象であることを認識していることから、サービス（ここでは発信）を継続するために、再レジストレーション手順実施部２２を起動する。再レジストレーション手順実施部２２は、再レジストレーションを促す、ＳＩＰ  ＭＥＳＳＡＧＥ（再ＲＥＧ要求）信号１０３をＳＩＰ端末４に対して送信する。
【００３５】
ＳＩＰ  ＭＥＳＳＡＧＥ信号１０３を受信したＳＩＰ端末４は、再レジストレーション要求を認識し、ＳＩＰ  ＭＥＳＳＡＧＥ信号１０３の送信元であるＰ−ＣＳＣＦ２に対してＳＩＰ  ＲＥＧＩＳＴＥＲ信号１０４を送信する。ＳＩＰ  ＲＥＧＩＳＴＥＲ信号１０４を受信したＰ−ＣＳＣＦ２は、該当ユーザの再レジストレーションを実施するため、ＨＳＳ３へＤＩＡＭＥＴＥＲ  ＵＡＲ／ＵＡＡ（Ｕｓｅｒ  Ａｕｔｈｏｒｉｚａｔｉｏｎ  Ｒｅｑｕｅｓｔ／Ｕｓｅｒ  Ａｕｔｈｏｒｉｚａｔｉｏｎ  Ａｎｓｗｅｒ）手順１０５を実施する。
【００３６】
Ｐ−ＣＳＣＦ２は、ＨＳＳ３よりＤＩＡＭＥＴＥＲ  ＵＡＲ／ＵＡＡ手順１０５で取得したＳ−ＣＳＣＦの情報から、迂回対象であるＳ−ＣＳＣＦ：Ａ  １ａ以外のＳ−ＣＳＣＦ：Ｂ  １ｂを選択し、そのＳ−ＣＳＣＦ：Ｂ  １ｂに対してＳＩＰ  ＲＥＧＩＳＴＥＲ信号１０６を送信する。
【００３７】
その後、ＳＩＰ  ＲＥＧＩＳＴＥＲ信号１０６を受信したＳ−ＣＳＣＦ：Ｂ  １ｂは、通常のレジストレーション手順を実施する。レジストレーション手順が完了すると、Ｐ−ＣＳＣＦ２は、再レジストレーションを行ったＳ−ＣＳＣＦ：Ｂ  １ｂにＳＩＰ  ＩＮＶＩＴＥ信号１０７を送信し、サービス（ここでは発信）を継続する。
【００３８】
したがって、本実施の形態では、ＩＭＳノード装置が同時接続数を超過する恐れがある場合に、対象のＩＭＳノード装置から隣接するＩＭＳノード装置に対して、予めＳＩＰ  ＯＰＴＩＯＮＳ（迂回指示）信号を送信することにより、同時接続数超過によるサービスの中断を回避し、ユーザに発着信をはじめとするサービスを継続して提供することが可能になる。
【００３９】
図３は本発明の第１の実施の形態によるＩＭＳのレジストレーション手順を示すシーケンスチャートである。これら図１〜図３を参照して、本発明の第１の実施の形態によるＩＭＳのレジストレーション手順について説明する。
【００４０】
ＳＩＰ端末４は、レジストレーション要求を行うために、ＳＩＰ  ＲＥＧＩＳＴＥＲ信号をＰ−ＣＳＣＦ２へ送信する（図３のａ１）。ＳＩＰ  ＲＥＧＩＳＴＥＲ信号を受信したＰ−ＣＳＣＦ２は、ＳＩＰ  ＲＥＧＩＳＴＥＲ信号を送信するＳ−ＣＳＣＦを選択するために、ＨＳＳ３へＤＩＡＭＥＴＥＲ  ＵＡＲ／ＵＡＡ手順を実施する（図３のａ２，ａ３）。
【００４１】
本手順により、Ｐ−ＣＳＣＦ２は、Ｓ−ＣＳＣＦ：Ａ  １ａを選択し、選択したＳ−ＣＳＣＦ：Ａ  １ａにＳＩＰ  ＲＥＧＩＳＴＥＲ信号を送信する（図３のａ４）。Ｓ−ＣＳＣＦ：Ａ  １ａは、受信したＳＩＰ  ＲＥＧＩＳＴＥＲ信号内のＣｏｎｔａｃｔヘッダ、ＲｏｕｔｅヘッダからＳＩＰ端末４のＩＰアドレス及びＰ−ＣＳＣＦ２のＩＰアドレスを取得し、これらの情報をＤＩＡＭＥＴＥＲ  ＳＡＲ（Ｓｅｒｖｅｒ  Ａｓｓｉｇｎｍｅｎｔ  Ｒｅｑｕｅｓｔ）信号に設定し、そのＤＩＡＭＥＴＥＲ  ＳＡＲ信号をＨＳＳ３に送信する（図３のａ５）。
【００４２】
ＤＩＡＭＥＴＥＲ  ＳＡＲ信号を受信したＨＳＳ３は、設定されたＳＩＰ端末４のＩＰアドレス及びＰ−ＣＳＣＦ２のＩＰアドレスを記憶し、加入者のサービスプロファイルをＤＩＡＭＥＴＥＲ  ＳＡＡ（Ｓｅｒｖｅｒ  Ａｓｓｉｇｎｍｅｎｔ  Ａｎｓｗｅｒ）信号でＳ−ＣＳＣＦ：Ａ  １ａに送信する（図３のａ６）。
【００４３】
ＤＩＡＭＥＴＥＲ  ＳＡＡ信号を受信したＳ−ＣＳＣＦ：Ａ  １ａは、レジストレーション手順完了を示すＳＩＰ  ２００  ＯＫ信号をＰ−ＣＳＣＦ２に送信する（図３のａ７）。ＳＩＰ  ２００  ＯＫ信号を受信したＰ−ＣＳＣＦ２は、レジストレーション手順完了を示すＳＩＰ  ２００  ＯＫ信号をＳＩＰ端末４に送信する（図３のａ８）。
【００４４】
また、Ｓ−ＣＳＣＦ：Ａ  １ａは、ＡＳ（Ａｐｐｌｉｃａｔｉｏｎ  Ｓｅｒｖｅｒ）（図１及び図２には図示せず）へのレジストレーションを行うために、ＳＩＰ  ＲＥＧＩＳＴＥＲ信号をＡＳに対して送信する（図３のａ９）。ＳＩＰ  ＲＥＧＩＳＴＥＲ信号を受信したＡＳは、加入者のプロファイルを取得するために、ＨＳＳ３へＤＩＡＭＥＴＥＲ  ＵＤＲ／ＵＤＡ（Ｕｓｅｒ  Ｄａｔａ  Ｒｅｑｕｅｓｔ／Ｕｓｅｒ  Ｄａｔａ  Ａｎｓｗｅｒ）手順を実施し（図３のａ１０，ａ１１）、レジストレーション手順完了を示すＳＩＰ  ２００  ＯＫ信号をＳ−ＣＳＣＦ：Ａ  １ａに送信する（図３のａ１２）。
【００４５】
図４は本発明の第１の実施の形態によるＳ−ＣＳＣＦ同時接続数の閾値超過時の発信迂回制御を示すシーケンスチャートである。これら図１と図２と図４とを参照して本発明の第１の実施の形態によるＳ−ＣＳＣＦ同時接続数の閾値超過時の発信迂回制御について説明する。
【００４６】
本実施の形態では、Ｓ−ＣＳＣＦ：Ａ  １ａの同時接続数の閾値を超過したため、Ｓ−ＣＳＣＦ：Ａ  １ａからＰ−ＣＳＣＦ２にＳＩＰ  ＯＰＴＩＯＮＳ（迂回指示）信号を送信する（図４のｂ２）。ＳＩＰ  ＯＰＴＩＯＮＳ信号を受信したＰ−ＣＳＣＦ２は、ＳＩＰ  ２００  ＯＫ信号をＳ−ＣＳＣＦ：Ａ  １ａに返送し（図４のｂ３）、受信した信号の迂回指示から、Ｓ−ＣＳＣＦ：Ａ  １ａを迂回対象ノードとして管理する（図４のｂ４）。
【００４７】
ここで、ＳＩＰ端末４がＳ−ＣＳＣＦ：Ａ  １ａに対して発信すると、ＳＩＰ  ＩＮＶＩＴＥ信号をＰ−ＣＳＣＦ２に送信する（図４のｂ５）。ＳＩＰ  ＩＮＶＩＴＥ信号を受信したＰ−ＣＳＣＦ２は、送信先のＳ−ＣＳＣＦ：Ａ  １ａが迂回対象ノードであるため、再レジストレーションを促すＳＩＰ  ＭＥＳＳＡＧＥ（ＲＥＧ要求）信号をＳＩＰ端末４に送信する（図４のｂ７）。
【００４８】
ＳＩＰ  ＭＥＳＳＡＧＥ信号を受信したＳＩＰ端末４は、ＲＥＧ要求を認識し、Ｐ−ＣＳＣＦ２へＳＩＰ  ＲＥＧＩＳＴＥＲ信号を送信する（図４のｂ８）。この後、通常のレジストレーション手順（図３参照）が実施されるが、Ｓ−ＣＳＣＦ：Ａ  １ａは迂回対象であるため、別のＳ−ＣＳＣＦ：Ｂ  １ｂへのレジストレーション手順が実施される（図４のｂ９）。
【００４９】
レジストレーション手順が完了すると、Ｐ−ＣＳＣＦ２は、ＳＩＰ  ２００  ＯＫ信号をＳＩＰ端末４に送信する（図４のｂ１０）。ＳＩＰ  ２００  ＯＫ信号を受信したＳＩＰ端末４は、レジストレーションが完了したため、ＳＩＰ  ＭＥＳＳＡＧＥ信号に対する応答信号であるＳＩＰ  ２００  ＯＫ信号をＰ−ＣＳＣＦ２に送信する（図４のｂ１１）。
【００５０】
ＳＩＰ  ２００  ＯＫ信号を受信したＰ−ＣＳＣＦ２は、ＳＩＰ端末４からの再レジストレーションが完了したことを認識し、ＳＩＰ端末４からの発信要求を継続し、ＳＩＰ  ＩＮＶＩＴＥ信号をＳ−ＣＳＣＦ：Ｂ  １ｂに送信する（図４のｂ１３）。
【００５１】
このように、本実施の形態では、ＩＭＳノード装置が同時接続数を超過する恐れがある場合に、対象のＩＭＳノード装置から隣接するＩＭＳノード装置に対して、予めＳＩＰ  ＯＰＴＩＯＮＳ（迂回指示）信号を送信することにより、同時接続数の超過によるサービスの中断を回避することができ、ユーザに発着信を始めとするサービスを継続して提供することができる。
【００５２】
図５は本発明の第２の実施の形態によるＩＭＳネットワークにおけるＳ−ＣＳＣＦ同時接続数の閾値超過時の着信迂回制御を示すシーケンスチャートである。尚、本発明の第２の実施の形態によるＩＭＳネットワークは、Ｓ−ＣＳＣＦ：Ｃ  １ｃを追加した以外は、上記の図１及び図２に示す本発明の第１の実施の形態によるＩＭＳネットワークと同様の構成となっている。
【００５３】
但し、図示していないが、Ｓ−ＣＳＣＦ：Ｃ  １ｃは、図１のＳ−ＣＳＣＦ：１Ａ  １ａ及びＳ−ＣＳＣＦ：Ｂ  １ｂの構成の他に、図１のＰ−ＣＳＣＦ２の迂回対象認識部２１を備えているものとする。以下、図１と図２と図５とを参照して本発明の第２の実施の形態によるＩＭＳネットワークにおけるＳ−ＣＳＣＦ同時接続数の閾値超過時の着信迂回制御について説明する。
【００５４】
本実施の形態では、Ｓ−ＣＳＣＦ：Ａ  １ａに予め設定されている同時接続数の閾値を超過したため、Ｓ−ＣＳＣＦ：Ｃ  １ｃにＳＩＰ  ＯＰＴＩＯＮＳ（迂回指示）信号を送信する（図５のｃ１，ｃ２）。
【００５５】
ＳＩＰ  ＯＰＴＩＯＮＳ信号を受信したＳ−ＣＳＣＦ：Ｃ  １ｃは、ＳＩＰ  ２００  ＯＫ信号を返送し（図５のｃ３）、受信した信号の迂回指示から迂回対象ノードして管理する機能（迂回対象認識部）を有し、Ｓ−ＣＳＣＦ：Ａ  １ａを迂回対象ノードとして認識する（図５のｃ４）。
【００５６】
ここで、Ｓ−ＣＳＣＦ：Ｃ  １ｃは、ＳＩＰ端末４に対する発信要求をＳＩＰ  ＩＮＶＩＴＥ信号によって受信すると（図５のｃ５）、ＳＩＰ  ＩＮＶＩＴＥ信号の送信先を取得するために、ＨＳＳ３へＤＩＡＭＥＴＥＲ  ＬＩＲ／ＬＩＡ（Ｌｏｃａｔｉｏｎ  Ｉｎｆｏ  Ｒｅｑｕｅｓｔ／Ｌｏｃａｔｉｏｎ  Ｉｎｆｏ  Ａｎｓｗｅｒ）手順を実施し（図５のｃ６，ｃ７）、送信先がＳ−ＣＳＣＦ：Ａ  １ａであることを認識する。
【００５７】
Ｓ−ＣＳＣＦ：Ｃ  １ｃは、ＳＩＰ  ＩＮＶＩＴＥ信号の送信先であるＳ−ＣＳＣＦ：Ａ  １ａが迂回対象ノードであるため、Ｓ−ＣＳＣＦ：Ｂ  １ｂを選択してＳＩＰ  ＩＮＶＩＴＥ信号を送信する（図５のｃ８，ｃ９）。ＳＩＰ  ＩＮＶＩＴＥ信号を受信したＳ−ＣＳＣＦ：Ｂ  １ｂは、着信要求を受けた加入者データを保持していないため、ＵＮＲＥＧＩＳＴＥＲＤ  ＳＥＲＶＩＣＥ手順を実施し（図５のｃ１０）、ＤＩＡＭＥＴＥＲ  ＳＡＲ（ＵＮＲＥＧＩＳＴＥＲＤ  ＳＥＲＶＩＣＥ）信号をＨＳＳ３に送信する（図５のｃ１１）。
【００５８】
ＤＩＡＭＥＴＥＲ  ＳＡＲ信号を受信したＨＳＳ３は、ユーザがレジストレーション状態であることから、迂回手順が発生していることを認識し、ＤＩＡＭＥＴＥＲ  ＳＡＡ信号へ、レジストレーション時に記憶したＳＩＰ端末４及びＰ−ＣＳＣＦ２のＩＰアドレス情報を設定し、そのＤＩＡＭＥＴＥＲ  ＳＡＡ信号をＳ−ＣＳＣＦ：Ｂ  １ｂに送信する（図５のｃ１２）。
【００５９】
ＤＩＡＭＥＴＥＲ  ＳＡＡ信号を受信したＳ−ＣＳＣＦ：Ｂ  １ｂは、受信したＤＩＡＭＥＴＥＲ  ＳＡＡ信号にＳＩＰ端末４及びＰ−ＣＳＣＦ２のＩＰアドレス情報が設定されていることから、着信迂回処理が発生していることを認識し、再レジストレーションを促すＳＩＰ  ＭＥＳＳＡＧＥ（ＲＥＧ要求）信号をＰ−ＣＳＣＦ２に送信する（図５のｃ１３）。
【００６０】
ＳＩＰ  ＭＥＳＳＡＧＥ（ＲＥＧ要求）信号を受信したＰ−ＣＳＣＦ２は、ＳＩＰ  ＭＥＳＳＡＧＥ（ＲＥＧ要求）信号をＳＩＰ端末４に送信する（図５のｃ１４）。ＳＩＰ  ＭＥＳＳＡＧＥ（ＲＥＧ要求）信号を受信したＳＩＰ端末４は、ＲＥＧ要求を認識し、Ｐ−ＣＳＣＦ２へＳＩＰ  ＲＥＧＩＳＴＥＲ信号を送信する（図５のｃ１５）。
【００６１】
この後、通常レジストレーション手順（図３参照）が実施されるが、Ｐ−ＣＳＣＦ２では、Ｓ−ＣＳＣＦ：Ａ  １ａが迂回対象ノードであることから、別のＳ−ＣＳＣＦ：Ｂ  １ｂへのレジストレーション手順が実施される（図５のｃ１６）。
【００６２】
レジストレーション手順が完了すると、Ｐ−ＣＳＣＦ２は、ＳＩＰ  ２００  ＯＫ信号をＳＩＰ端末４に送信する（図５のｃ１７）。ＳＩＰ  ２００  ＯＫ信号を受信したＳＩＰ端末４は、レジストレーションが完了したため、ＳＩＰ  ＭＥＳＳＡＧＥ信号に対する応答信号であるＳＩＰ  ２００  ＯＫ信号を送信する（図５のｃ１８）。
【００６３】
ＳＩＰ  ２００  ＯＫ信号を受信したＰ−ＣＳＣＦ２は、Ｓ−ＣＳＣＦ：Ｂ  １ｂにＳＩＰ  ２００  ＯＫ信号を送信する（図５のｃ１９）。ＳＩＰ  ２００  ＯＫ信号を受信したＳ−ＣＳＣＦ：Ｂ  １ｂは、ＳＩＰ端末４からの再レジストレーション処理が成功したことを認識し、Ｓ−ＣＳＣＦ：Ｃ  １ｃから受信した着信ＩＮＶＩＴＥ要求を継続することを可能とする（図５のｃ２０）。
【００６４】
図６は本発明の第３の実施の形態によるＩＭＳネットワークにおけるＡＳ同時接続数の閾値超過時の発信迂回制御を示すシーケンスチャートである。図示していないが、本発明の第３の実施の形態によるＩＭＳネットワークは、図２に示す本発明の第３の実施の形態によるＩＭＳネットワークの構成にＡＳ：Ａ，ＡＳ：Ｂを追加し、ＡＳ：Ａ，ＡＳ：Ｂにそれぞれ図１に示す同時接続数検出部及び迂回指示部をそれぞれ備え、Ｓ−ＣＳＣＦに図１に示す迂回対象認識部を備えているものとする。以下、図６を参照して本発明の第３の実施の形態によるＩＭＳネットワークにおけるＡＳ同時接続数の閾値超過時の発信迂回制御について説明する。
【００６５】
ＡＳ：Ａは、ＡＳ：Ａに予め設定されている同時接続数の閾値を超過したため、Ｓ−ＣＳＣＦにＳＩＰ  ＯＰＴＩＯＮＳ（迂回指示）信号を送信する（図６のｄ１，ｄ２）。ＳＩＰ  ＯＰＴＩＯＮＳ（迂回指示）信号を受信したＳ−ＣＳＣＦは、ＳＩＰ  ２００  ＯＫ信号を返送する（図６のｄ３）。
【００６６】
Ｓ−ＣＳＣＦは、受信したＳＩＰ  ＯＰＴＩＯＮＳ（迂回指示）信号の迂回指示から、迂回対象ノードとして管理する機能（迂回対象認識部）を有し、Ｓ−ＣＳＣＦ：Ａを迂回対象ノードとする（図６のｄ４）。
【００６７】
ここで、ＳＩＰ端末が発信要求を行うために、Ｐ−ＣＳＣＦに対してＳＩＰ  ＩＮＶＩＴＥ信号を送信すると（図６のｄ５）、ＳＩＰ  ＩＮＶＩＴＥ信号を受信したＰ−ＣＳＣＦは、Ｓ−ＣＳＣＦへＳＩＰ  ＩＮＶＩＴＥ信号を送信する（図６のｄ６）。
【００６８】
ＳＩＰ  ＩＮＶＩＴＥ信号を受信したＳ−ＣＳＣＦは、発信処理を行うために、ＡＳ：ＡへＳＩＰ  ＩＮＶＩＴＥ信号を送信しようとするが、ＡＳ：Ａは迂回対象ノードとして管理されているため、サービスを継続するために、再レジストレーションが必要と判断する（図６のｄ７）。再レジストレーションを行うために、Ｓ−ＣＳＣＦは、ＡＳ：Ｂを選択してＳＩＰ  ＲＥＧＩＳＴＥＲ信号を送信する（図６のｄ８）。
【００６９】
ＳＩＰ  ＲＥＧＩＳＴＥＲ信号を受信したＡＳ：Ｂは、ＨＳＳとの間でレジストレーション手順を実施し（図６のｄ９）、レジストレーション手順にて加入者データを取得し、Ｓ−ＣＳＣＦに対してＳＩＰ  ２００  ＯＫ信号を送信する（図６のｄ１０）。
【００７０】
ＳＩＰ  ２００  ＯＫ信号を受信したＳ−ＣＳＣＦは、ＡＳ：Ｂへの再レジストレーションが完了したことを認識し、ＳＩＰ端末からの発信要求処理を継続し（図６のｄ１１）、ＡＳ：Ｂに対してＳＩＰ  ＩＮＶＩＴＥ信号を送信する（図６のｄ１２）。これによって、本実施の形態では、ＳＩＰ端末からの発信処理を継続することが可能となる。
【００７１】
図７は本発明の第４の実施の形態によるＩＭＳネットワークにおけるＡＳ同時接続数の閾値超過時の着信迂回制御を示すシーケンスチャートである。図示していないが、本発明の第４の実施の形態によるＩＭＳネットワークは、図２に示す本発明の第３の実施の形態によるＩＭＳネットワークの構成にＡＳ：Ａ，ＡＳ：Ｂを追加し、ＡＳ：Ａ，ＡＳ：Ｂにそれぞれ図１に示す同時接続数検出部及び迂回指示部をそれぞれ備え、Ｓ−ＣＳＣＦに図１に示す迂回対象認識部を備えているものとする。以下、図７を参照して本発明の第４の実施の形態によるＩＭＳネットワークにおけるＡＳ同時接続数の閾値超過時の着信迂回制御について説明する。
【００７２】
ＡＳ：Ａは、ＡＳ：Ａに予め設定されている同時接続数の閾値を超過したため、Ｓ−ＣＳＣＦにＳＩＰ  ＯＰＴＩＯＮＳ（迂回指示）信号を送信する（図７のｄ１，ｄ２）。ＳＩＰ  ＯＰＴＩＯＮＳ（迂回指示）信号を受信したＳ−ＣＳＣＦは、ＳＩＰ  ２００  ＯＫ信号を返送する（図７のｅ３）。また、Ｓ−ＣＳＣＦは、受信したＳＩＰ  ＯＰＴＩＯＮＳ（迂回指示）信号の迂回指示から、ＡＳ：Ａを迂回対象ノードとして管理する。
【００７３】
ここで、Ｓ−ＣＳＣＦは、着信要求のＳＩＰ  ＩＮＶＩＴＥ信号を受信すると（図７のｅ５）、着信要求を行うために、ＳＩＰ  ＩＮＶＩＴＥ信号をＡＳ：Ａに送信しようとするが、ＡＳ：Ａは迂回対象ノードであるため、サービスを継続するために、再レジストレーション手順が必要と判断する（図７のｅ６）。Ｓ−ＣＳＣＦは、再レジストレーションを行うためにＡＳ：Ｂを選択し、ＡＳ：Ｂに対してＳＩＰ  ＲＥＧＩＳＴＥＲ信号を送信する（図７のｅ７）。
【００７４】
ＳＩＰ  ＲＥＧＩＳＴＥＲ信号を受信したＡＳ：Ｂは、ＨＳＳとの間でレジストレーション手順を実施し（図７のｅ８）、レジストレーション手順にて加入者データを取得し、Ｓ−ＣＳＣＦに対してＳＩＰ  ２００  ＯＫ信号を送信する（図７のｅ９）。
【００７５】
ＳＩＰ  ２００  ＯＫ信号を受信したＳ−ＣＳＣＦは、ＡＳ：Ｂへの再レジストレーションが完了したことを認識し、着信要求処理を継続し（図７のｅ１０）、ＡＳ：Ｂに対してＳＩＰ  ＩＮＶＩＴＥ信号を送信する（図７のｅ１１）。これによって、本実施の形態では、着信処理を継続することが可能となる。
【００７６】
以上説明した通り、本発明に関連するＩＭＳネットワークでは、レジストレーション時に選択されたＩＭＳノード装置が許容する同時接続数を超過した場合、発着信を始めとするサービスを継続して提供することができない。
【００７７】
これに対し、本発明によるＩＭＳネットワークでは、ＩＭＳノード装置が同時接続数を超過する恐れがある場合、対象のＩＭＳノード装置から隣接するＩＭＳノード装置に対して、予めＳＩＰ  ＯＰＴＩＯＮＳ（迂回指示）信号を送信し、受信した隣接するＩＭＳノード装置において迂回指示を認識し、再レジストレーションを実施することで、同時接続数超過によるサービスの中断を回避し、ユーザに発着信を始めとするサービスを継続して提供することができる。
【産業上の利用可能性】
【００７８】
本発明は、ＶｏＩＰ（Ｖｏｉｃｅ  ｏｖｅｒ  ＩＰ）を使用する通信用インフラに適用可能である。つまり、本発明は、その対象装置として、上記のＩＭＳノード装置（Ｐ−ＣＳＣＦ、Ｓ−ＣＳＣＦ、ＡＳ）に限定されるものではなく、ＩＭＳネットワークに属しかつＳＩＰで通信を行うＩＭＳノード装置間において適用可能である。
【００７９】
さらに、本発明は、上記の実施例において、発着信の対象装置としてＳＩＰ端末について述べているが、例えば無線ＬＡＮ（Ｌｏｃａｌ  Ａｒｅａ  Ｎｅｔｗｏｒｋ）や第３世代携帯電話のように、アクセスネットワーク経由でＩＭＳ網に接続する端末にも適用可能である。
【図面の簡単な説明】
【００８０】
【図１】本発明の第１の実施の形態によるＩＭＳネットワークの各ＩＭＳノード装置の構成例を示すブロック図である。
【図２】図２は本発明の第１の実施の形態によるＩＭＳネットワークの構成例を示すブロック図である。
【図３】本発明の第１の実施の形態によるＩＭＳのレジストレーション手順を示すシーケンスチャートである。
【図４】本発明の第１の実施の形態によるＳ−ＣＳＣＦ同時接続数の閾値超過時の発信迂回制御を示すシーケンスチャートである。
【図５】本発明の第２の実施の形態によるＩＭＳネットワークにおけるＳ−ＣＳＣＦ同時接続数の閾値超過時の着信迂回制御を示すシーケンスチャートである。
【図６】本発明の第３の実施の形態によるＩＭＳネットワークにおけるＡＳ同時接続数の閾値超過時の発信迂回制御を示すシーケンスチャートである。
【図７】本発明の第４の実施の形態によるＩＭＳネットワークにおけるＡＳ同時接続数の閾値超過時の着信迂回制御を示すシーケンスチャートである。
【図８】本発明に関連するＩＭＳネットワークの動作を説明するための図である。
【符号の説明】
【００８１】
１ａ  Ｓ−ＣＳＣＦ：Ａ
１ｂ  Ｓ−ＣＳＣＦ：Ｂ
２  Ｐ−ＣＳＣＦ
３  ＨＳＳ
４  ＳＩＰ端末
１１ａ，１１ｂ  同時接続数検出部
１２ａ，１２ｂ  迂回指示部
２１  迂回対象認識部
２２  再レジストレーション手順実施部
１００  アクセスネットワーク
【図１】
2010118800.tif 000003
【図２】
2010118800.tif 000004
【図３】
2010118800.tif 000005
【図４】
2010118800.tif 000006
【図５】
2010118800.tif 000007
【図６】
2010118800.tif 000008
【図７】
2010118800.tif 000009
【図８】
2010118800.tif 000010